(57)【要約】      （修正有）【課題】配線抵抗を低減可能とした画像信号配線を具備した画像表示装置。【解決手段】背面パネルの第１絶縁基板にサンドブラスト法等で形成した溝に印刷法で塗布し埋設した厚膜で画像信号配線の下層電極膜を形成する。電子源の下部電極は、蒸着法により画像信号配線に一部を接続させ、平坦な表面（主面）を有する第１絶縁基板の上に直接形成する。下層電極膜の少なくとも一部に重畳して当該下層電極膜を覆うと共に、第１絶縁基板の溝を臨む平坦な主面にかけて蒸着されたアルミニウムの上層電極膜との二層の積層膜で画像信号配線が構成される。上層電極膜の電子源の形成領域の周囲上面には陽極酸化による第２絶縁膜２が形成され、電子源の形成領域には同じく陽極酸化による第３絶縁膜がトンネル膜として形成されている。画像信号配線の両側には、第１絶縁膜で絶縁された走査信号配線が形成されている。【選択図】    図１
2007059338.tif 000002
【特許請求の範囲】
【請求項１】
第１絶縁基板の平坦な主面に複数の走査信号配線と複数の画像信号配線、および前記走査信号配線と前記画像信号配線の各交差部近傍に多数の電子源をマトリクス配列された多数の電子源を有する背面パネルと、
第２絶縁基板の平坦な主面に前記電子源のそれぞれに対応した蛍光体と前記電子源から放射される電子束を加速して前記蛍光体に射突させる陽極を有する前面パネルと、
前記背面パネルと前記前面パネルの周縁に介在して当該背面パネル及び前面パネルと共に真空容器を形成する封止枠と、
前記背面パネルと前記前面パネルの間に植立されて、両パネルの間隔を所定値に保持するスペーサと、
を備えた表示パネルで構成された画像表示装置であって、
前記背面パネルを構成する第１絶縁基板の主面に、一方向に延在し該一方向と直交する他方向に並設された複数の溝を有し、
前記画像信号配線は、前記溝の中に印刷法により充填された下層電極膜と、該下層電極膜を覆うと共に前記第１絶縁基板の前記溝を臨む平坦な主面にかけて蒸着された上層電極膜とから構成され、
前記電子源が前記上層電極膜の前記第１絶縁基板の前記溝を臨む平坦な主面の上に形成されていることを特徴とする画像表示装置。
【請求項２】
前記下層電極膜は銀ペーストの印刷で形成された厚膜であり、前記上層電極膜が蒸着法で形成されたアルミニウム又はアルミニウム合金の薄膜であることを特徴とする請求項１に記載の画像表示装置。
【請求項３】
前記電子源が、前記アルミニウム又はアルミニウム合金の薄膜を下部電極とし、該アルミニウム又はアルミニウム合金の薄膜の表面に形成された陽極酸化膜からなる絶縁膜と、該陽極酸化膜からなる絶縁膜の上層に形成された貴金属薄膜を上部電極とした薄膜型電子源であることを特徴とする請求項２に記載の画像表示装置。
【請求項４】
前記下部電極は、前記第１絶縁基板の前記溝を臨む主面に倣った平坦な表面を有することを特徴とする請求項３に記載の画像表示装置。
【請求項５】
前記上部電極が前記走査信号配線に接続していることを特徴とする請求項１乃至４の何れかに記載の画像表示装置。
【請求項６】
第１絶縁基板の平坦な主面に複数の走査信号配線と複数の画像信号配線、および前記走査信号配線と前記画像信号配線の各交差部近傍に多数の電子源をマトリクス配列された多数の電子源を有する背面パネルと、
第２絶縁基板の平坦な主面に前記電子源のそれぞれに対応した蛍光体と前記電子源から放射される電子束を加速して前記蛍光体に射突させる陽極を有する前面パネルと、
前記背面パネルと前記前面パネルの周縁に介在して当該背面パネル及び前面パネルと共に真空容器を形成する封止枠と、
前記背面パネルと前記前面パネルの間に植立されて、両パネルの間隔を所定値に保持するスペーサと、
を備えた表示パネルで構成された画像表示装置であって、
前記画像信号配線は、前記電子源の形成部の一部にその一部が突出した延長部を有する導電性薄膜からなる下層配線膜と、前記下層配線膜の延長部を除いて当該下層配線膜の上に印刷法で形成された上層配線膜との二層膜から構成され、
前記電子源が、前記下層配線膜に接続して前記第１絶縁基板の表面に直接形成された薄膜電極からなる下部電極を有することを特徴とする画像表示装置。
【請求項７】
前記下層配線膜は白金、金、イリジウム等の酸化により絶縁不良を起こさない導電材料で形成された薄膜であり、前記上層電極膜が銀ペーストの印刷で形成された厚膜であることを特徴とする請求項６に記載の画像表示装置。
【請求項８】
前記電子源が、前記下層電極膜の上に一部が重畳して形成されたアルミニウム又はアルミニウム合金を下部電極とし、該アルミニウム又はアルミニウム合金の表面に形成された陽極酸化膜からなる絶縁膜と、該陽極酸化膜からなる絶縁膜の上層に形成された貴金属薄膜を上部電極とした薄膜型電子源であることを特徴とする請求項７に記載の画像表示装置。
【請求項９】
前記下部電極は、前記第１絶縁基板の表面に倣った平坦な表面を有することを特徴とする請求項６乃至８の何れかに記載の画像表示装置。
【請求項１０】
前記上部電極が前記走査信号配線に接続していることを特徴とする請求項８に記載の画像表示装置。
【請求項１１】
第１絶縁基板の平坦な主面に複数の走査信号配線と複数の画像信号配線、および前記走査信号配線と前記画像信号配線の各交差部近傍に多数の電子源をマトリクス配列された多数の電子源を有する背面パネルと、
第２絶縁基板の平坦な主面に前記電子源のそれぞれに対応した蛍光体と前記電子源から放射される電子束を加速して前記蛍光体に射突させる陽極を有する前面パネルと、
前記背面パネルと前記前面パネルの周縁に介在して当該背面パネル及び前面パネルと共に真空容器を形成する封止枠と、
前記背面パネルと前記前面パネルの間に植立されて、両パネルの間隔を所定値に保持するスペーサと、
を備えた表示パネルで構成された画像表示装置であって、
前記画像信号配線は、印刷法で形成された配線膜で形成されると共に、前記電子源の形成部において当該電子源の形成部に突出した薄膜接続電極を有し、
前記電子源が、前記薄膜接続電極に接続して前記第１絶縁基板の表面に直接形成された薄膜電極を下部電極として、該下部電極の上に形成されていることを特徴とする画像表示装置。
【請求項１２】
前記薄膜接続電極は白金、金、イリジウム等の酸化により絶縁不良を起こさない導電材料の薄膜であり、前記画像信号配線を形成する配線膜が銀ペーストの印刷で形成された厚膜であることを特徴とする請求項１１に記載の画像表示装置。
【請求項１３】
前記電子源が、前記下層電極膜の上に一部が重畳して形成されたアルミニウム又はアルミニウム合金の薄膜を下部電極とし、該アルミニウム又はアルミニウム合金の薄膜の表面に形成された陽極酸化膜からなる絶縁膜と、該陽極酸化膜からなる絶縁膜の上層に形成された貴金属薄膜を上部電極とした薄膜型電子源であることを特徴とする請求項１２に記載の画像表示装置。
【請求項１４】
前記下部電極は、前記第１絶縁基板の表面に倣った平坦な表面を有することを特徴とする請求項１１乃至１３の何れかに記載の画像表示装置。
【請求項１５】
前記上部電極が前記走査信号配線に接続していることを特徴とする請求項１１に記載の画像表示装置。
【発明の詳細な説明】
【技術分野】
【０００１】
本発明は、フラットパネル型画像表示装置に関し、特に、絶縁基板の主面に薄膜型電子源をマトリクス状に配列した背面パネルと、前記電子源から放出される電子束を加速する陽極と加速された電子束の励起で所定色に発光する蛍光体を備えた前面パネル等で構成した画像表示装置に好適なものである。
【背景技術】
【０００２】
マトリクス状に二次元配置した電子源を有する自発光平板型パネル表示装置（フラットパネルディスプレイ）の一つとして、微少で集積可能な冷陰極を利用する電界放出型パネルを用いたもの（ＦＥＤ:Field Emission Display） が知られている。このＦＥＤを構成する冷陰極には、スピント型、表面伝導型、カーボンナノチューブ型、金属‐絶縁体‐金属を積層したＭＩＭ（Metal-Insulator-Metal）型、金属‐絶縁体‐半導体を積層したＭＩＳ（Metal-Insulator-Semiconductor）型、あるいは金属‐絶縁体‐半導体‐金属型等の薄膜型電子源などが知られている。
【０００３】
ＭＩＭ型電子源については、例えば特許文献１、特許文献２に開示されている。また、金属‐絶縁体‐半導体型電子源については非特許文献１で報告されたＭＯＳ型、金属‐絶縁体‐半導体‐金属型電子源に関しては、非特許文献２などで報告されたＨＥＥＤ型電子源、非特許文献３などで報告されたＥＬ型電子源、非特許文献４などで報告されたポーラスシリコン型電子源などが知られている。このような電子源を備えたパネルに駆動回路等を組み合わせて画像表示装置が構成される。
【０００４】
図２７は、ＭＩＭ型電子源を用いた画像表示装置を構成する表示パネルの１画素の表示原理を説明する図である。この表示パネルは、背面パネルＰＮＬ1と前面パネルＰＮＬ２を図示しない封止枠で貼り合せ、内部空間を真空状態に保持される。背面パネルＰＮＬ1は、例えばガラス基板などの背面基板ＳＵＢ1の主面（内側表面）にアルミニウムＡＬ膜を好適とする電子源の下部電極を構成する画像信号配線（所謂、データ線）ｄ、下部電極のアルミニウムを陽極酸化した陽極酸化膜からなる第１の絶縁膜ＩＮＳ1、チッ化シリコン膜（ＳｉＮ）を好適とする第２の絶縁膜ＩＮＳ２、給電電極（接続電極）ＥＬＣ、アルミニウムＡｌまたはアルミニウム合金を好適とする走査信号配線ｓ、走査信号配線ｓに接続した画素の電子源を構成する上部電極ＡＥＤが形成されている。
【０００５】
電子源は、画像信号配線ｄを下部電極とし、下部電極ｄの上に位置する第１の絶縁膜ＩＮＳ1の一部を形成する薄膜部分ＩＮＳ３、前記薄膜部分ＩＮＳ３の上層に積層する上部電極ＡＥＤの部分とで構成される。上部電極ＡＥＤは、走査信号配線ｓと接続電極ＥＬＣの一部とを覆って形成されている。薄膜部分ＩＮＳ３は、所謂トンネル膜である。この構成で、所謂ダイオード電子源が形成される。
【０００６】
一方、前面パネルＰＮＬ２は、透明なガラス基板を好適とする前面基板ＳＵＢ２の主面に遮光膜（ブラックマトリクス）ＢＭで隣接画素と区画された蛍光体ＰＨ、アルミニウム蒸着膜を好適とする陽極ＡＤが形成されている。
【０００７】
背面パネルＰＮＬ1と前面パネルＰＮＬ２の間の間隔は３ないし５ｍｍ前後であり、この間隔を隔壁とも称するスペーサＳＰＣで維持している。背面基板ＳＵＢ1と前面基板ＳＵＢ２の板厚は、例えば２．８ｍｍ、スペーサＳＰＣの高さは例えば３ｍｍ程度である。図２７では、分かり易くするために各構成層の厚みを強調して示してあるが、走査信号配線ｓの膜厚は例えば３μｍである。
【０００８】
この様な構成において、背面パネルＰＮＬ1の上部電極ＡＥＤと前面パネルＰＮＬ２の陽極ＡＤの間に加速電圧（２、３ｋＶ乃至１０ｋＶ程度、図２７では約５ｋＶ）を印加すると、下部電極である画像信号配線ｄに供給される表示データの大きさに応じた電子ｅ-が出射し、加速電圧によって蛍光体ＰＨに射突し、これを励起して所定周波数の光Ｌを前面パネルＰＮＬ２の外部に出射する。なお、フルカラー表示の場合は、この単位画素はカラーの副画素（サブピクセル）であり、通常は赤（Ｒ）、緑（Ｇ）、青（Ｂ）の３つの副画素で１カラー画素を構成する。
【０００９】
図２８は、図２７で説明したダイオード電子源の電圧―電流特性の説明図である。ＭＩＭ電子源はトンネルダイオードである。閾値電圧は５Ｖ付近にあり、この閾値電圧を越えた領域でトンネル電流が生じ、このトンネル電流は印加電圧の増加と共に増大する特性を有する。
【００１０】
図２９は、フルカラーの画像表示装置を構成するパネルの全体構成例を説明する展開斜視図である。背面パネルＰＮＬ1には、第１の基板である背面基板ＳＵＢ1の主面に、一方向に延在し該一方向と直交する他方向に並設されて前記他方向に走査信号が順次印加される複数の走査信号配線ｓと、他方向に延在し走査信号配線ｓに交差する如く前記一方向に並設された複数の画像信号配線ｄと、走査信号配線sと画像信号配線dの各交差部に設けた前記の電子源ＥＬＳを有する。そして、前面パネルＰＮＬ２には、第２の基板である前面基板ＳＵＢ２の主面に遮光膜（ブラックマトリクス）ＢＭで互いに区画された３色（赤（Ｒ）、緑（Ｇ）、青（Ｂ））の３つの副画素（サブピクセル）ＰＨと、陽極（アノード）ＡＤが形成されている。この構成例では、背面パネルＰＮＬ1の走査信号配線ｓの上に、当該走査信号配線ｓに沿ってスペーサＳＰＣを設置して両パネルを所定の間隔で図示しない封止枠により封止している。
【００１１】
図３０は、図２９で説明した背面パネルＰＮＬ1に有する電子源の平面図であり、ここでは図２９の３つの副画素に対応する３個の電子源を示す。また、図３１は、図３０のＡ−Ａ’線に沿った断面図である。また、図３２は、図３０のＢ−Ｂ’線に沿った断面図である。電子源の断面構造を示す図３１と図３２において、背面基板ＳＵＢ1の主面にアルミニウム（Ａｌ）又はアルミニウム合金（例えば、アルミニウムとネオジム（Ａｌ＋Ｎｄ））からなる画像信号配線ｄが成膜される。この画像信号配線ｄを陽極酸化させて第１の絶縁膜ＩＮＳ１と第３の絶縁膜ＩＮＳ３を形成する。第１の絶縁膜ＩＮＳ１の上には窒化シリコン（ＳｉＮ）を好適とする第２の絶縁膜ＩＮＳ２を介してクロム（Ｃｒ）を好適とする接続電極ＥＬＣ、アルミニウムを好適とする走査線sが形成されている。
【００１２】
図３０において、図の上下方向に敷設された画像信号配線ｄ１、ｄ２、ｄ３、・・に交差する如く、走査信号配線ｓ１、ｓ２、・・が形成されている。電子源ＥＬＳは、図３１と図３２に示したように、画像信号配線ｄ（ｄ１、ｄ２、ｄ３、・・）を下部電極とし、走査信号配線ｓ（ｓ１、ｓ２、・・）から接続電極ＥＬＣを通して接続される上部電極ＡＥＤとし、第１の絶縁膜ＩＮＳ１の薄膜部分である第３の絶縁膜ＩＮＳ３を上記下部電極と上部電極で挟んだ構造となっている。図３１と図３２には上部電極ＡＥＤは図示していない。
【００１３】
この電子源ＥＬＳは、第２の絶縁膜ＩＮＳ２がその薄膜部分である第３の絶縁膜ＩＮＳ３を露呈する開口の境界を電子が放出される電子源開口ＥＭＡとし、この電子源開口ＥＭＡよりも内側に上記第３の絶縁膜ＩＮＳ３が電子放出領域ＥＭＴとして形成されている。図２０には、画像信号配線の延在方向での電子源開口ＥＭＡの大きさをＤ１、電子放出領域ＥＭＴの大きさをＤ２で示してある。電子放出領域ＥＭＴを含む画像信号配線ｄと走査信号配線ｓの交差領域を電子放出領域とする。
【００１４】
また、画像表示装置の電子源に凹形状を設けたものとして、特許文献３がある。しかし、特許文献３に開示された画像表示装置は集束電極を備えて、カソードからの電子束を集束する方式である。
【特許文献１】特開平７−６５７１０号公報
【特許文献２】特開平１０−１５３９７９号公報
【特許文献３】特開２００２−１６９１５号公報
【非特許文献１】J. Vac. Sci. Techonol. B11 (2) p.429-432 (1993)
【非特許文献２】high-efficiency-electro-emission device 、Jpn.J.Appl. Phys. 、vol36 、pL939
【非特許文献３】Electroluminescence 、応用物理  第６３巻、第６号、５９２頁
【非特許文献４】応用物理  第６６巻、第５号、４３７頁
【発明の開示】
【発明が解決しようとする課題】
【００１５】
表示装置の画面サイズの大型化に伴い、走査信号配線長、画像信号配線長も長くなり、これらの配線抵抗の低減が必要となる。近年の画面の大型化は、公称対角サイズが２０インチを越え、５０インチ、６０インチ、あるいはそれ以上となる傾向にある。画面の大型化に伴い、走査信号配線の給電側から遊端までの距離が遠くなり、距離の増加に従い必然的に抵抗も増大する。
【００１６】
抵抗の増大に対する対策として、走査信号配線駆動回路（スキャンドライバ）を左右両辺に配置して両端駆動としたり、高精細表示に伴う画像信号配線の高速駆動のために、画像信号配線を上下に分割し、上下辺のそれぞれに画像信号配線駆動回路（データドライバ）ドライバを搭載することが考えられる。しかし、このような考えでは、ドライバの数がそれぞれ２倍になり、コスト高となる。また、特に画像信号配線を画面の中央部分で分割することで、当該分割部分での電位差に起因する不所望な放電を招くという新たな問題も生じる。
【００１７】
ＭＩＭ電子源は容量駆動であるため、高精細表示のためには画像信号配線の抵抗の低減が必要である。電子源は下部電極の上に形成されるトンネル絶縁膜と、このトンネル絶縁膜の上に成膜される極薄の上部電極とで構成される。トンネル絶縁膜は下部電極の表面状態に倣った表面状態となり、上部電極はトンネル絶縁膜の表面状態に依存する。下部電極をアルミニウムの多数回スパッタで厚膜化することはプロセス負荷が大きく、また表面荒れが大きいためデータ線には使えない。
【００１８】
本発明の目的は、薄膜電子源を構成できる平坦表面をもつと共に配線抵抗を十分に低減可能とした画像信号配線を具備した画像表示装置を提供することにある。
【課題を解決するための手段】
【００１９】
上記目的を達成するため、本発明は、背面パネルの第１絶縁基板にサンドブラスト法等で形成した溝にスクリーン印刷法あるいはスリット印刷法等で塗布し埋設した厚膜で画像信号配線を形成する。電子源の下部電極は、スパッタ等の蒸着法により画像信号配線に一部を接続させて、平坦な表面（主面）を有する第１絶縁基板の上に直接形成する。
【００２０】
また、本発明は、背面パネルの第１絶縁基板にスパッタ等の蒸着法で形成した薄膜からなる下層配線膜と、この下層配線膜上に印刷法で形成した厚膜の上層配線膜との二層構造で画像信号配線を形成する。電子源の下部電極は、蒸着法により平坦な表面（主面）を有する第１絶縁基板の上に直接形成する。この下部電極と画像信号配線とは、下層配線膜から電子源側に突出した延長部を下部電極の下層の一部に配置することで接続させる。
【００２１】
また、本発明は、背面パネルの第１絶縁基板にスクリーン印刷法あるいはスリット印刷法等で形成した厚膜の配線膜で画像信号配線を形成する。電子源の下部電極は、蒸着法により平坦な表面（主面）を有する第１絶縁基板の上に直接形成する。この下部電極と画像信号配線とは、電子源の形成部分で配線膜の下層一部が配置されて電子源側に突出した薄膜接続電極を下部電極の下層の一部に配置することで接続させる。
【００２２】
本発明では、走査信号配線もまた、少なくとも表示領域内では同様の印刷法で形成した厚膜の下層電極と、アルミニウム又はアルミニウム合金（Ａｌ−Ｎｄ等）をスパッタして上層電極とした二層構造とすることができる。
【００２３】
本発明の代表的構成を記述すれば、以下の通りである。すなわち、
（１）本発明の画像表示装置は、第１絶縁基板の平坦な主面に複数の走査信号配線と複数の画像信号配線、および前記走査信号配線と前記画像信号配線の各交差部近傍に多数の電子源をマトリクス配列された多数の電子源を有する背面パネルと、
第２絶縁基板の平坦な主面に前記電子源のそれぞれに対応した蛍光体と前記電子源から放射される電子束を加速して前記蛍光体に射突させる陽極を有する前面パネルと、
前記背面パネルと前記前面パネルの周縁に介在して当該背面パネル及び前面パネルと共に真空容器を形成する封止枠と、
前記背面パネルと前記前面パネルの間に植立されて、両パネルの間隔を所定値に保持するスペーサとを備えた表示パネルで構成される。
【００２４】
そして、本発明では、前記背面パネルを構成する第１絶縁基板の主面に、一方向に延在し該一方向と直交する他方向に並設された複数の溝を有し、
前記画像信号配線は、前記溝の中に印刷により充填された下層電極膜と、該下層電極膜を覆うと共に前記第１絶縁基板の前記溝を臨む平坦な主面にかけて蒸着された上層電極膜とから構成され、
前記電子源が前記上層電極膜の前記第１絶縁基板の前記溝を臨む平坦な主面の上に形成されている。
【００２５】
本発明は、前記下層電極膜を銀ペーストのスクリーン印刷法あるいはスリット印刷法等で形成された厚膜とし、前記上層電極膜が蒸着法で形成されたアルミニウム又はアルミニウム合金の薄膜とすることができる。
【００２６】
本発明は、前記電子源が、前記アルミニウム又はアルミニウム合金の薄膜を下部電極とし、該アルミニウム又はアルミニウム合金の薄膜の表面に形成された陽極酸化膜からなる絶縁膜と、該陽極酸化膜からなる絶縁膜の上層に形成された貴金属薄膜を上部電極とした薄膜型電子源とすることができる。
【００２７】
また、本発明は、画像信号配線を、前記電子源の形成部の一部にその一部が突出した延長部を有する導電性薄膜からなる下層配線膜と、前記下層配線膜の延長部を除いて当該下層配線膜の上に印刷法で形成された上層配線膜との二層膜から構成する。そして、電子源を、前記下層配線膜に接続して前記第１絶縁基板の表面に直接形成された薄膜電極からなる下部電極で構成することができる。
【００２８】
本発明は、前記下層配線膜として、白金、金、イリジウム等の酸化により絶縁不良を起こさない導電材料の薄膜で形成し、前記上層電極膜を銀ペーストのスクリーン印刷法で形成された厚膜とすることができる。
【００２９】
本発明は、前記電子源として、前記下層電極膜の上に一部が重畳して形成されたアルミニウム又はアルミニウム合金を下部電極とし、該アルミニウム又はアルミニウム合金の表面に形成された陽極酸化膜からなる絶縁膜と、該陽極酸化膜からなる絶縁膜の上層に形成
【００３０】
また、本発明は、画像信号配線を、スクリーン印刷法あるいはスリット印刷法等で形成された配線膜で形成すると共に、前記電子源の形成部において当該電子源の形成部に突出した薄膜接続電極を有せしめ、前記電子源を、前記薄膜接続電極に接続して前記第１絶縁基板の表面に直接形成された薄膜電極を下部電極として、該下部電極の上に形成することができる。
【００３１】
本発明は、前記薄膜接続電極として、白金、金、イリジウム等の酸化により絶縁不良を起こさない導電材料の薄膜を用い、前記画像信号配線を形成する配線膜を銀ペーストのスクリーン印刷法あるいはスリット印刷法等で形成された厚膜とすることができる。
【００３２】
本発明は、前記電子源を、前記下層電極膜の上に一部が重畳して形成されたアルミニウム又はアルミニウム合金の薄膜を下部電極とし、該アルミニウム又はアルミニウム合金の薄膜の表面に形成された陽極酸化膜からなる絶縁膜と、該陽極酸化膜からなる絶縁膜の上層に形成された貴金属薄膜を上部電極とした薄膜型電子源とすることができる。
【００３３】
本発明は、上記の構成および後述する実施例に示す構成に限るものではなく、本発明の技術思想を逸脱することなく、種々の変更が可能であることは言うまでもない。
【発明の効果】
【００３４】
本発明の構成とした画像信号配線を用いた電子源を具備させることにより、当該画像信号配線の抵抗が大幅に低減し、片側給電でも高精細表示が可能となり、ドライバ数の低減で低コスト化が実現可能である。
【発明を実施するための最良の形態】
【００３５】
以下、本発明を実施例の図面を参照して詳細に説明する。
【実施例１】
【００３６】
図１は、本発明による画像表示装置の実施例１の背面パネルの構成を説明する図である。図１（a）は平面図、図１（b）は図１（a）のＡ-Ａ'線に沿った断面図、図１（c）は図１（a）のＢ-Ｂ'線に沿った断面図、図１（d）は図１（a）のＣ-Ｃ'線に沿った断面図を示す。この背面パネルは、ガラスを好適とする第１絶縁基板ＳＵＢ１の平坦な主面（表面）にサンドブラストで形成した溝ＴＲＥを有する。
【００３７】
この溝ＴＲＥは、第１絶縁基板ＳＵＢ１の主面上の一方向（図１（a）の上下方向）に延在し該一方向と直交する他方向に並設された複数の溝ＴＲＥを有する。この溝ＴＲＥに銀ペースト（Ａｇペースト）をスクリーン印刷法あるいはスリット印刷法等で印刷して塗布し、充填して下層電極膜ｄＡを形成する。そして、下層電極膜ｄＡの少なくとも一部に重畳して当該下層電極膜ｄＡを覆うと共に、第１絶縁基板ＳＵＢ１の溝ＴＲＥを臨む平坦な主面にかけてスパッタ等で蒸着されたアルミニウム（Ａｌ）膜又はアルミニウム合金（アルミニウム−ネオジム合金：Ａｌ−Ｎｄ）膜からなる上層電極膜ｄＢとの二層の積層膜で画像信号配線ｄが構成されている。なお、ここでは、アルミニウム（Ａｌ）膜又はアルミニウム合金（アルミニウム−ネオジム合金：Ａｌ−Ｎｄ）膜を単にアルミニウム膜と表記する。
【００３８】
上層電極膜ｄＢの電子源ＥＬＳの形成領域の周囲上面には陽極酸化による第２絶縁膜ＩＮＳ２が形成され、電子源ＥＬＳの形成領域には同じく陽極酸化による第３絶縁膜ＩＮＳ３がトンネル膜として形成されている。
【００３９】
画像信号配線ｄの両側には、第１絶縁膜ＩＮＳ１で絶縁された走査信号配線ｓが形成されている。走査信号配線ｓはＡｇペーストのスクリーン印刷法あるいはスリット印刷法等で形成された厚膜の下層電極膜ｓＡとアルミニウム膜の上層電極膜sＢとの二層の積層膜で構成されている。
【００４０】
そして、この背面基板の主面の全面に電子源の上部電極となる白金、金、プラチナ、等の貴金属の薄膜ＡＥＤが成膜される。この薄膜ＡＥＤの矢印Ｌで示した部分をレーザで切断して隣接する走査線ｓ毎に電子源ＥＬＳの形成領域を分離している。
【００４１】
次に、図２乃至図２４を参照して実施例１の画像表示装置を構成する背面パネルの製造プロセスを説明する。図２に示した第１絶縁膜ＩＮＳ１の主面に図３以下図２４に示した膜構造を順次形成する。図２乃至図２４におけるＡ-Ａ'線は走査信号配線の延在方向を、Ｂ-Ｂ'線は画像信号配線の延在方向で、溝ＴＲＥ上を通る線である。またＣ-Ｃ'線は画像信号配線の延在方向で、溝ＴＲＥ上を外れた部分で電子源上を通る線である。
【００４２】
先ず、ガラス基板を好適とする第１絶縁膜ＩＮＳ１を用意する。この第１絶縁膜ＩＮＳ１の主面が所定の平坦面となるように、必要に応じて平坦に研磨し、洗浄を施す（図２）。この主面にサンドブラストの保護膜として感光性レジストＲＥＧを塗布し、乾燥する（図３）。乾燥した感光性レジストＲＥＧに露光、現像、乾燥を施し、画像信号配線の延在方向に溝ＴＲＥを形成するためのパターニングを行う（図４）。
【００４３】
パターニングした感光性レジストＲＥＧを保護膜としてサンドブラスト加工を行い、感光性レジストＲＥＧが無い部分に溝ＴＲＥを形成する（図５）。その後、サンドブラストの保護膜としてのレジストＲＥＧを剥離し、洗浄・乾燥する（図６）。そして、Ａｇペーストをスクリーン印刷で溝ＴＲＥ内に埋設し、乾燥・焼成し、表面を研磨して画像信号配線の下層電極膜ｄＡを形成する（図７）。
【００４４】
次に、画像信号配線の下層電極膜ｄＡに交差する走査信号配線の形成部分に低融点ガラスをスクリーン印刷法あるいはスリット印刷法等で印刷し、乾燥・焼成して第１絶縁膜ＩＮＳ１を形成する（図８）。第１絶縁膜ＩＮＳ１の上にＡｇペーストをスクリーン印刷で塗布し、乾燥・焼成して走査信号配線の下層電極膜ｓＡを形成する（図９）。このとき、電子源の形成領域側の第１絶縁膜ＩＮＳ１を一部露出させて断面が階段状となるようにする。
【００４５】
画像信号配線の下層電極膜ｄＡ、走査信号配線の下層電極膜ｓＡ、および第１絶縁膜ＩＮＳ１の露出部分を覆って画像信号配線の上層電極膜と走査信号配線の上層電極膜となるアルミニウム膜ｄｓＢをスパッタ法などの蒸着で成膜する（図１０）。アルミニウム膜ｄｓＢの上に感光性レジストＲＥＧを全面塗布し、乾燥する（図１１）。所定のパターンを有する露光マスクを用いて露光し、現像・乾燥して、画像信号配線の上層電極膜と走査信号配線の上層電極膜との境界のレジストを除去する（図１２）。これをエッチング処理してアルミニウム膜ｄｓＢを画像信号配線の上層電極膜ｄＢと走査信号配線の上層電極膜ｓｂに分離する（図１３）。
【００４６】
画像信号配線ｄは下層電極膜ｄＡと上層電極膜ｄＢの二層構造で構成される。上層電極膜ｄＢの電子源形成領域は平坦な第１絶縁膜ＩＮＳ１の表面に直接位置する。同様に、走査信号配線ｓは下層電極膜ｓＡと上層電極膜sＢの二層構造で構成される。その後、レジストを剥離し、洗浄・乾燥する（図１４）。
【００４７】
次に、第１絶縁膜ＩＮＳ１の全面に感光性レジストＲＥＧを全面塗布し、乾燥する（図１５）。所定のパターンを有する露光マスクを用いて露光し、現像・乾燥して、電子源形成領域を除く画像信号配線ｄの上層電極膜ｄＢ（アルミニウム膜）の部分のレジストを除去し、第２絶縁膜ＩＮＳ２（フィールド絶縁膜）の開口パターンを形成する（図１６）。これを化成槽に浸漬して陽極酸化を施し、第２絶縁膜ＩＮＳ２を形成する（図１７）。その後、レジストを剥離し、洗浄・乾燥する（図１８）。
【００４８】
次に、第１絶縁膜ＩＮＳ１の全面に感光性レジストＲＥＧを全面塗布し、乾燥する（図１９）。所定のパターンを有する露光マスクを用いて露光し、現像・乾燥して、第３絶縁膜ＩＮＳ３（トンネル膜）を形成するためのパターニングを行う（図２０）。これを化成槽に浸漬して陽極酸化を施し、電子源部分に第３絶縁膜ＩＮＳ３を形成する（図２１）。その後、レジストを剥離し、洗浄・乾燥する（図２２）。
【００４９】
第３絶縁膜ＩＮＳ３が形成された第１絶縁膜ＩＮＳ１の全面に、イリジウム（Ｉｒ）、白金（Ｐｔ）、金（Ａｕ）の何れか、あるいはそれらの２以上をスパッタ等で電子源の上部電極ＡＥＤを構成するための金属膜を形成する（図２３）。そして、隣接する走査信号配線との間（矢印Ａで示す）をレーザで分離する（図２４）。
【００５０】
上記した図２乃至図２４の一連のプロセスにより、図１に示した背面パネルが完成する。この背面パネルに全面パネルを封止枠を介して一体化し、内部を真空引きして表示パネルとする。この表示パネルに駆動回路、その他の部材を組み合わせて画像表示装置を得る。
【００５１】
実施例１の構成によれば、画像信号配線ｄがＡｇペーストの印刷による厚膜とアルミニウム膜の二層構造としたことで、低抵抗化が実現される。また、電子源ＥＬＳが第１絶縁基板ＳＵＢ１の平坦な表面上に蒸着により直接形成された下層電極膜ｄＡを下部電極としているため、そのトンネル膜も平坦で、この上に成膜された上部電極も平坦で膜質が良好であるため、均一な電子放出の電子源ＥＬＳが得られる。
【実施例２】
【００５２】
図２５は、本発明による画像表示装置の実施例２の背面パネルの構成を説明する図である。図２５（a）は１画素付近の平面図、図２５（b）は図２５（a）のＡ−Ａ’線に沿った断面図、図２５（c）は図２５（a）のＢ−Ｂ’線に沿った断面図である。実施例１では背面基板ＳＵＢ１の主面に溝を設け、この溝にＡｇペーストを塗布し埋設することで画像信号配線を二層構造として低抵抗化を実現したが、実施例２はこの溝に代えて良導体金属を成膜し、この上にＡｇペーストを塗布して二層構造として低抵抗化を実現した。また、電子源の下部電極を背面基板ＳＵＢ１の主面に直接成膜したことで高品質のトンネル膜を形成した。
【００５３】
実施例２の背面パネルは、ガラス基板を好適とする背面基板ＳＵＢ１の主面に、画像信号配線に沿って下層電極膜ｄＡを形成する。この下層電極膜ｄＡは白金（Ｐｔ）、金（Ａｕ）、イリジウム（Ｉｒ）等の酸化により絶縁不良を起こさない導電材料をスパッタ法で形成する。この下層電極膜ｄＡは、図２５（c）に示されたように、電子源の形成領域側に突出した延長部ｄＡ'を有している。そして、下層電極膜ｄＡの上にＡｇペーストを塗布して上層電極膜ｄＢとし、画像信号配線ｄを下層電極膜ｄＡと上層電極膜ｄＢの二層構造としている。
【００５４】
下層電極膜ｄＡと上層電極膜ｄＢで構成した画像信号配線ｄを覆って低融点ガラスを塗布して走査信号配線との絶縁膜となる第１絶縁膜ＩＮＳ１を形成する。そして、走査信号配線部分にＡｇペーストを印刷して走査信号配線の下層電極膜ｓＡとし、さらにこの上にアルミニウム膜をスパッタ法で成膜する。このアルミニウム膜は、図２５（a）に示したように、ホトリソグラフィー法で電子源の形成領域の周りにギャップgを形成することで、走査信号配線の上層電極膜sＢと電子源の下部電極ｄＣに分離されている。なお、図２５（c）に示されたようにアルミニウム膜は画像信号配線ｄの下層電極膜ｄＡの延長部ｄＡ'の上に積層して形成され、画像信号配線ｄの下層電極膜ｄと電子源の下部電極ｄＣとを電気的に接続している。
【００５５】
上層電極膜ｄＢの形成時における下層電極膜ｄＡの表面の酸化を抑え、下層電極膜ｄＡと上層電極膜ｄＢとの接合界面の電気的抵抗を低くするために、下層電極膜ｄＡは上述の如く、白金、金、イリジウム等の金属材料で形成されるが、これをＩＴＯ（インジウム−錫−酸化物）やＩＺＯ（インジウム−亜鉛−酸化物）等の導電性酸化物で形成してもよい。導電性酸化物で形成された下層電極膜ｄＡの表面は、この上に上層電極膜ｄＢを形成する工程にて、雰囲気中に含まれる酸素に曝されても酸化され難い故、これと上層電極膜ｄＢとの接合界面の電気的抵抗も低く抑えられる。
【００５６】
しかし、導電性酸化物からなる下層電極膜ｄＡの表面に上述の下部電極ｄＣをアルミニウムやアルミニウム合金（陽極酸化される金属又は合金）で形成するとき、下層電極膜ｄＡ（導電性酸化物）に含まれる酸素が下部電極ｄＣへ熱拡散し、アルミニウムと反応して下層電極膜ｄＡと下部電極ｄＣとの接合界面付近に酸化アルミニウムが形成されることもある。下部電極ｄＣを陽極酸化される金属として、タンタル（Ｔａ）で形成したときも同様に下層電極膜ｄＡと下部電極ｄＣとの接合界面付近に酸化タンタルが形成される可能性は否めない。下層電極膜ｄＡ上に下部電極ｄＣを積層するプロセス条件に因り斯様な酸化物が形成されると、下層電極膜ｄＡと下部電極ｄＣとの間の電気的な抵抗が上昇し、その間に導通不良が生じる虞がある。
【００５７】
このような現象を鑑みると、下層電極膜ｄＡを導電性酸化物で形成したとき、下部電極ｄＣを、下層電極膜ｄＡ上に形成されたＣｒ（クロム）からなる第１層と、当該第１層上に形成されたアルミニウムやアルミニウム合金等（所謂陽極酸化される金属又は合金）からなる第２層からなる積層構造のパターニングで形成することが推奨される。第１層を成すクロムは、酸化され難く且つ陽極酸化される金属又は合金と低抵抗で接合できる他の金属や合金におきかえてもよい。斯様に形成された下部電極ｄＣの第２層を図２５に示された薄膜ｄＣに見立てれば、第１層は薄膜ｄＣと下層電極膜ｄＡとの接合界面、及び薄膜ｄＣと背面基板ＳＵＢ１との接合界面に夫々挿入されて描かれる。また、斯様に下部電極ｄＣを形成することで、下層電極膜ｄＡと下部電極ｄＣとの間の導通不良を回避することができる。
【００５８】
電子源の下部電極ｄＣは、陽極酸化処理で電子源の周りに第２絶縁膜ＩＮＳ２（フィールド絶縁膜）と、電子源部分に第３絶縁膜ＩＮＳ３（トンネル絶縁膜）が成膜されている。そして、図示しないが、このような各成膜処理が施された背面基板ＳＵＢ１の全面に、イリジウム（Ｉｒ）、白金（Ｐｔ）、金（Ａｕ）の何れか、あるいはそれらの２以上をスパッタして電子源の上部電極ＡＥＤを構成するための金属膜を形成する。その後、図２４で説明した実施例１と同様に、隣接する走査信号配線の分離を行って背面パネルが完成する。
【００５９】
この背面パネルに全面パネルを封止枠を介して一体化し、内部を真空引きして表示パネルとする。この表示パネルに駆動回路、その他の部材を組み合わせて画像表示装置を得る。
【００６０】
実施例２の構成によれば、画像信号配線ｄがＡｇペーストの印刷による厚膜とアルミニウム膜の二層構造としたことで、低抵抗化が実現される。また、電子源ＥＬＳが第１絶縁基板ＳＵＢ１の平坦な表面上に蒸着により直接形成されたアルミニウム膜を下部電極ｄＣとしているため、そのトンネル膜も平坦で、この上に成膜された上部電極も平坦で膜質が良好であるため、均一な電子放出の電子源ＥＬＳが得られる。
【実施例３】
【００６１】
図２６は、本発明による画像表示装置の実施例３の背面パネルの構成を説明する図である。図２６（a）は１画素付近の平面図、図２６（b）は図２６（a）のＡ−Ａ’線に沿った断面図、図２６（c）は図２６（a）のＢ−Ｂ’線に沿った断面図である。実施例３では、画像信号配線ｄの下層電極膜ｄＡを背面基板ＳＵＢ１の主面の電子源形成領域の近傍にのみ形成する。この下層電極膜ｄＡも白金（Ｐｔ）、金（Ａｕ）、イリジウム（Ｉｒ）等の酸化により絶縁不良を起こさない導電材料をスパッタ法で形成する。画像信号配線は上層電極膜ｄＢをＡｇペーストの厚膜としたことで、低抵抗化を実現した。また、下層電極膜ｄＡに電子源の形成領域側に突出した延長部ｄＡ'を設け、この延長部ｄＡ'に接続させて電子源の下部電極dＣを背面基板ＳＵＢ１の主面に直接成膜したことで高品質のトンネル膜を形成した。他の構成は実施例２と同様なので、説明は省略する。
【００６２】
電子源の下部電極ｄＣは、陽極酸化処理で電子源の周りに第２絶縁膜ＩＮＳ２（フィールド絶縁膜）と、電子源部分に第３絶縁膜ＩＮＳ３（トンネル絶縁膜）が成膜されている。そして、図示しないが、このような各成膜処理が施された背面基板ＳＵＢ１の全面に、イリジウム（Ｉｒ）、白金（Ｐｔ）、金（Ａｕ）の何れか、あるいはそれらの２以上をスパッタして電子源の上部電極ＡＥＤを構成するための金属膜を形成する。その後、図２４で説明した実施例２と同様に、隣接する走査信号配線の分離を行って背面パネルが完成する。
【００６３】
この背面パネルに全面パネルを封止枠を介して一体化し、内部を真空引きして表示パネルとする。この表示パネルに駆動回路、その他の部材を組み合わせて画像表示装置を得る。
【００６４】
実施例３の構成によれば、画像信号配線ｄがＡｇペーストの印刷による厚膜とアルミニウム膜の二層構造としたことで、低抵抗化が実現される。また、電子源ＥＬＳが第１絶縁基板ＳＵＢ１の平坦な表面上に蒸着により直接形成されたアルミニウム膜を下部電極ｄＣとしているため、そのトンネル膜も平坦で、この上に成膜された上部電極も平坦で膜質が良好であるため、均一な電子放出の電子源ＥＬＳが得られる。
【図面の簡単な説明】
【００６５】
【図１】本発明による画像表示装置の実施例１の背面パネルの構成を説明する図である。
【図２】本発明の実施例１の画像表示装置を構成する背面パネルの製造プロセスを説明する図である。
【図３】本発明の実施例１の画像表示装置を構成する背面パネルの製造プロセスを説明する図２に続く図である。
【図４】本発明の実施例１の画像表示装置を構成する背面パネルの製造プロセスを説明する図３に続く図である。
【図５】本発明の実施例１の画像表示装置を構成する背面パネルの製造プロセスを説明する図４に続く図である。
【図６】本発明の実施例１の画像表示装置を構成する背面パネルの製造プロセスを説明する図５に続く図である。
【図７】本発明の実施例１の画像表示装置を構成する背面パネルの製造プロセスを説明する図６に続く図である。
【図８】本発明の実施例１の画像表示装置を構成する背面パネルの製造プロセスを説明する図７に続く図である。
【図９】本発明の実施例１の画像表示装置を構成する背面パネルの製造プロセスを説明する図８に続く図である。
【図１０】本発明の実施例１の画像表示装置を構成する背面パネルの製造プロセスを説明する図９に続く図である。
【図１１】本発明の実施例１の画像表示装置を構成する背面パネルの製造プロセスを説明する図１０に続く図である。
【図１２】本発明の実施例１の画像表示装置を構成する背面パネルの製造プロセスを説明する図１１に続く図である。
【図１３】本発明の実施例１の画像表示装置を構成する背面パネルの製造プロセスを説明する図１２に続く図である。
【図１４】本発明の実施例１の画像表示装置を構成する背面パネルの製造プロセスを説明する図１３に続く図である。
【図１５】本発明の実施例１の画像表示装置を構成する背面パネルの製造プロセスを説明する図１４に続く図である。
【図１６】本発明の実施例１の画像表示装置を構成する背面パネルの製造プロセスを説明する図１５に続く図である。
【図１７】本発明の実施例１の画像表示装置を構成する背面パネルの製造プロセスを説明する図１６に続く図である。
【図１８】本発明の実施例１の画像表示装置を構成する背面パネルの製造プロセスを説明する図１７に続く図である。
【図１９】本発明の実施例１の画像表示装置を構成する背面パネルの製造プロセスを説明する図１８に続く図である。
【図２０】本発明の実施例１の画像表示装置を構成する背面パネルの製造プロセスを説明する図１９に続く図である。
【図２１】本発明の実施例１の画像表示装置を構成する背面パネルの製造プロセスを説明する図２０に続く図である。
【図２２】本発明の実施例１の画像表示装置を構成する背面パネルの製造プロセスを説明する図２１に続く図である。
【図２３】本発明の実施例１の画像表示装置を構成する背面パネルの製造プロセスを説明する図２２に続く図である。
【図２４】本発明の実施例１の画像表示装置を構成する背面パネルの製造プロセスを説明する図２３に続く図である。
【図２５】本発明による画像表示装置の実施例２の背面パネルの構成を説明する図である。
【図２６】本発明による画像表示装置の実施例３の背面パネルの構成を説明する図である。
【図２７】ＭＩＭ型電子源を用いた画像表示装置を構成する表示パネルの１画素の表示原理を説明する図である。
【図２８】図２７で説明したダイオード電子源の電圧―電流特性の説明図である
【図２９】フルカラーの画像表示装置を構成するパネルの全体構成例を説明する展開斜視図である。
【図３０】図２９で説明した背面パネルＰＮＬ1に有する電子源の平面図である。
【図３１】図３０のＡ−Ａ’線に沿った断面図である。
【図３２】図３０のＢ−Ｂ’線に沿った断面図である。
【符号の説明】
【００６６】
ＰＮＬ１・・・背面パネル、ＰＮＬ２・・・前面パネル、ＳＵＢ１・・・背面基板、ＳＵＢ２・・・前面基板、ｓ（ｓ１，ｓ２，・・・ｓｍ）・・・走査信号配線、ｄ（ｄ１，ｄ２，ｄ３，・・・）・・・画像信号配線、ＩＮＳ１・・・第１の絶縁膜、ＩＮＳ２・・・第２の絶縁膜、ＩＮＳ３・・・第３の絶縁膜（トンネル膜）、ＥＬＳ・・・電子源、ＥＬＣ・・・接続電極、ｄＡ・・・上層配線、ｄＢ・・・下層配線、ＡＥＤ・・・上部電極、ＡＤ・・・陽極、ＢＭ・・・ブラックマトリクス、ＰＨ（ＰＨ（Ｒ），ＰＨ（Ｇ），ＰＨ（Ｂ））・・・蛍光体、ＳＤＲ・・・走査信号線駆動回路、ＤＤＲ・・・画像信号線駆動回路、ＳＰＣ・・・スペーサ。
【図１】
2007059338.tif 000003
【図２】
2007059338.tif 000004
【図３】
2007059338.tif 000005
【図４】
2007059338.tif 000006
【図５】
2007059338.tif 000007
【図６】
2007059338.tif 000008
【図７】
2007059338.tif 000009
【図８】
2007059338.tif 000010
【図９】
2007059338.tif 000011
【図１０】
2007059338.tif 000012
【図１１】
2007059338.tif 000013
【図１２】
2007059338.tif 000014
【図１３】
2007059338.tif 000015
【図１４】
2007059338.tif 000016
【図１５】
2007059338.tif 000017
【図１６】
2007059338.tif 000018
【図１７】
2007059338.tif 000019
【図１８】
2007059338.tif 000020
【図１９】
2007059338.tif 000021
【図２０】
2007059338.tif 000022
【図２１】
2007059338.tif 000023
【図２２】
2007059338.tif 000024
【図２３】
2007059338.tif 000025
【図２４】
2007059338.tif 000026
【図２５】
2007059338.tif 000027
【図２６】
2007059338.tif 000028
【図２７】
2007059338.tif 000029
【図２８】
2007059338.tif 000030
【図２９】
2007059338.tif 000031
【図３０】
2007059338.tif 000032
【図３１】
2007059338.tif 000033
【図３２】
2007059338.tif 000034